(57)【要約】      （修正有）【課題】ギターの携帯に使用されるソフトケースには、雨に弱いという問題があった。【解決手段】雨天時のギター携帯のために簡単に装着できるギター用ソフトケースの携帯性レインカバーを発明することにより、雨天時のギターの携帯において、ソフトケース及び内部の水に弱いギターやチューナー等の周辺物を雨から守る。【選択図】図２
2006227552.tif 000002
【特許請求の範囲】
【請求項１】
ポリエチレン等の防水素材によって構成され、ギターの形状に合わせて少なくとも大きく分けて上半部と下半部の二つのサイズからなる事を特徴とする袋状のものを主体とし、口枠周縁部にゴム素材等の伸縮紐を組み込み、口の部分を留めるために左右一対のドットボタンやマジックテープ等の留め具を上半部から下半部に数箇所設置（基本的に口のサイズの大きくなる下半部に設置する分に関しては長さを補足するバンド部を伴うもの、もしくは紐）し、ギター携帯用ソフトケースを機能的に覆える形状であるため、上半部は容量小、下半部は容量大であり、全体的にソフトケースを表側から覆う形で袋の口部分に組み込んだ伸縮紐によって隙間なく吸い付く様に包み込み固定するが、内側はソフトケースの肩掛け用ストラップの使用に支障のない様、肩掛けストラップ付け根の取り付け部分又は連結部を隠さない程度まで包むサイズである事を特徴とし、折りたたんで小さくまとめることで携帯性を持つ、ギター携帯用ソフトケース用携帯レインカバー。
【請求項２】
基本的に第一請求項記載のギター携帯用ソフトケース用レインカバーと同じものであるが、さらに携帯性を高めるため、ギター用ソフトケースでの強風、豪雨を伴わない雨天時の傘をさしての携帯に於いて、傘だけでは雨に濡れるのをどうしても防げないと予想されるソフトケース下半部を保護する部分と、強風、豪雨を伴う雨天時の携帯に於いて激しく濡れることが予想される上半部を保護する部分に分割し、留め具によって上半部と下半部を繋げ一体化することを加えて特徴とする、携帯性により特化したギター携帯用ソフトケース用携帯レインカバー。
【発明の詳細な説明】
【技術分野】
【０００１】本発明は、ギター（エレキギター、アコースティックギター、ガットギター、ベースギター等）演奏者がスタジオやギター教室、自身のライブやバンドでのセッション等に行くためにギターを持ち出す時に使用するソフトケース（呼び方がいくつかあるので、以下これは通常防水性能に特化しないギター携帯用ソフトケース、セミソフトケース、ギグケース等を意味するものとして記載する）用のレインカバーに関するものである。
【背景技術】
【０００２】徒歩でギターを持ち出す時、一般的には図１に示す様なソフトケースが使用されている。これは車や飛行機での移動時に使用されるハードケースと比較して、コストが安くギター購入時に付属する事もよくあることで手に入りやすい上に、重量が軽く徒歩での携帯に便利であるため、街中でよく見かけられる様に好んで使用されている。又ある程度の緩衝性を持たせた物や、チューナーを始めケーブル、エフェクター、譜面等の周辺物を携帯し易い様にポケットの付いている物も一般的である。
【発明が解決しようとする課題】
【０００３】  しかしながら防水性に特化したものはなく、雨天時の使用に於いては傘だけでは雨を遮れずどうしてもソフトケース表面から雨が染み込んでしまったり、ポケットやギターを出し入れするための開口部のチャック等からも内部に雨が入り込んでしまうため、ソフトケースを雨から守るには大きなビニール袋等を無理やり巻きつけるしかなかったが、これは見栄えが非常に悪く敬遠され、台風時の豪雨の時などに必要にかられてする場合はあっても通常あまり見られるものではない。故に現状としてはソフトケース内部が水に濡れるのを覚悟するか、値段が非常に高くなるが雨を通しにくい皮製のものを買うしかないというのが現状である。しかし後者にしても側面の開口部にあるチャックは水の浸入を許し易いし、完全に雨の浸入を防ぐ事はできない。さらに本音では出来れば雨には濡らしたくないというのが正直な所である。
【０００４】  又ソフトケースは雨に濡れると乾かす事が大変であるしギターの形状に合わせて一つか二つを所持するのみが普通なので、服の様に「明日はこれを着れば良い」という訳にもいかない。演奏するのは室内なのに、「雨だから今日はやめとこう」というのも不憫な話であるし、天候で言い訳出来ないことの方が多いと考えられる。
【０００５】  強力で有能な防水スプレーを用いるという手段もあるが、スプレーを吹き付けてから乾くまで時間がかかるし、臭いやガスの発生もある。そしてチャック等の開口部からの水の浸入は防げなかった。
【０００６】  なにより木材をベースとし、電気回路を有することもあるギターにとって水は大敵であり、チューナーやエフェクター、譜面等の水に弱い周辺物を入れることも多い携帯用ソフトケースだが、値段も安く、軽くてある程度緩衝効果も期待できる便利なものである半面、徒歩での形態が主目的であるにもかかわらず雨への対策は見落とされてきた。
【０００７】  本発明は上記問題点に鑑みてなされたものであり、その目的は、雨天時に簡単に装着でき、ソフトケースそして内部のギター、周辺物を雨、雪等から確実かつ有効に保護することができるギター用ソフトケースのレインカバーを提供することにある。
【課題を解決するための手段】
【０００８】上記目的を達成するために、第一請求項記載の発明に係るギター用ソフトケースのレインカバーは、雨天時にギターを携帯して外出する際、ソフトケースを表側から包む形で雨から守るレインカバーであって、少なくともソフトケースの形状に合わせてサイズの小さい上半部とサイズの大きい下半部の二つのサイズからなるもので、ポリエチレンに代表される防水素材から袋状に形成され、ソフトケースへの装着時に内側にくる口の部分に沿ってゴム素材の伸縮紐が組み込まれていることにより、ソフトケース上部、下部から引っ掛ける様に包みこみぴったりと保護、固定することができる袋状の本体に、確実に固定するための左右一対に上半部数箇所に設けられた留め具、そしてサイズの大きい下半部を肩掛けストラップを塞がない様空いたスペースを補足するバンド部を伴う留め具または紐をもつことを特徴とする。
【発明の効果】
【０００９】  上記構成によれば、サイズの大きいカバー本体下半部の袋口の伸縮紐を伸ばしながらまずソフトケース下部をソフトケース表面を背にして入れ、次にレインカバー中間部の伸縮紐の部分を伸ばしつつソフトケース本体になじませ、ソフトケース上端部にレインカバー本体上部を引っ掛けるように被せることで実に簡単に取り付けることができる。このとき、本レインカバーはソフトケースの大きさ、形状に合わせて余裕をもってサイズが設計され、袋口に伸縮紐が組み込まれているため、ある程度中身のサイズも融通が利き、ぴったりと安定した状態で固定される。また雨天時にギターを携帯する際、ソフトケースの肩掛けストラップで肩に掛ける形でソフトケースを携帯し、傘をさして外出することを前提として本レインカバーは設計されているので、装着時に内側の肩掛けストラップの使用を邪魔しないように下半部は全体を包み込むのではなく、肩掛けストラップの付け根部分までを包むサイズに設計されるが、実際は下半部内側はソフトケース携帯時に体側になり、雨には濡れにくいため全体を包む必要がない。むしろ携帯性を考慮するとソフトケース内側まで全体を包むより本レインカバーのサイズが小さくて済むため有効である。最後に緩みがない様に左右一対の留め具を留めることで確実に装着、固定することができる。これは特に表面のポケットが大きいソフトケースの場合、ポケットがいっぱいの状態に合わせて本カバーが設計されていれば、ポケットが空の時には緩みができ易いと考えられ有効である。このように本レインカバーは非常にシンプルな構造であるため着脱が簡単であり、雨に濡れやすい表面から側面、内側までを保護することができる。また折りたたんでソフトケースのポケットに入れておくなど、その利便性から現在広く普及している折りたたみ傘や雨ガッパの様に携帯しやすい利点がある。
【発明を実施するための最良の形態】
【００１０】  図１は、本発明のギターソフトケース用レインカバーの装着の対象となる一般的なギター用ソフトケースの背面図を示したものである。肩掛け用ストラップ３が一本のみのものも一般的であるが、ストラップが一本のタイプはより本発明品の装着が容易である。手提げ用に付いている２のバンド部はないものもあるがここでは記載しておいた。【００１１】  図２は、本発明を実施したレインカバー４を、ギター用ソフトケース１に被せたところを示す背面図である。正面側、側面側はレインカバー４によって全体が包まれていることにより、完全に雨や雪の進入を防ぐことができる。【００１２】  本発明のレインカバー４は、ソフトケース１の形状の合わせて上半部のサイズがより小さく、下半部のサイズがより大きくなっている。比率はソフトケースによりけりだが、これにより上半部のサイズが余って装着が甘くなり外れやすくなったり、見た目にも不恰好になったりせずにきれいに取り付けることができる。【００１３】  レインカバー４の口枠周縁５の部分には、ヘアキャップのように伸縮紐が組み込まれている。これにより、レインカバー４をソフトケース１に容易に装着、固定が可能になり、ソフトケース１にぴったり張り付くように無駄なく見た目にもきれいに装着、固定でき、またある程度のソフトケース１のサイズや形状の大小にも対応することができる。【００１４】  留め具６は上半部の背面をレインカバー４で覆い、保護する目的と、レインカバー４をより確実にソフトケース１に固定する目的で付いている。携帯時にこの部分は体と密着しないため、意識しないと傘から出てしまう怖れがあるため有効である。ドットボタン等が向いている。【００１５】  バンド部７はレインカバー４の下半部を留めるために留め具を伴う。下半部はサイズが大きく、肩掛けストラップ３の使用の妨げにならないよう、また携帯時には体と密着するので雨に濡れにくいこともあり全体を覆う必要がないため開きができるので、長さを補う意味でバンド部を設けた。目的はレインカバー４の確実な装着、固定である。図３と図４にバンド部の構成例を示す。【００１６】  図３はバンド部７の構成例１である。ある程度ソフトケース１のサイズの大小に対応するため（通常表側に付いているポケットの中身にも左右される）マジックテープが広範囲に取り付けられている。バンド部７自身を伸縮性のあるものにするのも有効である。【００１７】  図４はバンド部７の構成例２である。ある程度ソフトケース１のサイズの大小に対応するため（通常表側に付いているポケットの中身にも左右される）ドットボタンが複数配置されている。
【産業上の利用可能性】
【００１８】同様の特徴を利用して弦楽器以外の楽器、携帯するものや外で使用するものに利用可能である。
【図面の簡単な説明】
【００１９】
【図１】一般的なギター用ソフトケースの背面図である。
【図２】本発明のレインカバーをギター用ソフトケースに被せたところを示す背面図である。
【図３】図２の留め具を伴うバンド部の実施例１である。
【図４】図２の留め具を伴うバンド部の実施例２である。
【符号の説明】
【００２０】  １  ギター用ソフトケース本体
２  ギター用ソフトケースの手提げ用取っ手部分
３  ギター用ソフトケースの肩掛けストラップ
４  レインカバー
５  口枠周縁
６  留め具
７  バンド部
８  マジックテープ留め側部分
９  マジックテープ受け側部分
１０  ドットボタン留め側
１１  ドットボタン受け側
【図１】
2006227552.tif 000003
【図２】
2006227552.tif 000004
【図３】
2006227552.tif 000005
【図４】
2006227552.tif 000006